(57)【特許請求の範囲】
【請求項１】
トイレ室内の消臭を行う消臭器と、トイレ室内に設置された自動水洗機構を有する便器と、報知手段を有する報知器と、それらの消臭器と便器と報知器とに制御信号を送信可能な制御装置とを備えたトイレ室内の汚れ報知システムであって、
前記制御装置は、前記トイレ室内における所定位置の臭気レベルが設定臭気レベルよりも高いか否かを判定する臭気レベル判定部によって、前記設定臭気レベルよりも高いとの判定をした場合に、その判定に基づいて、消臭器作動開始信号を消臭器に送信するとともに、その消臭器作動開始信号を送信してから第１設定時間経過後における前記所定位置の臭気レベルが前記設定臭気レベルよりも高いか否かを再度判定する臭気レベル再判定部によって、前記設定臭気レベルよりも高いとの判定をした場合に、その判定に基づいて、便器水洗開始信号を便器に送信し、更に、その便器水洗開始信号を送信してから第２設定時間経過後における前記所定位置の臭気レベルが前記設定臭気レベルよりも高い状態を維持しているか否かを判定する高臭気レベル維持判定部によって、前記維持しているとの判定をした場合に、その判定に基づいて、報知器作動開始信号を報知器に送信し、
前記トイレ室の床面に、臭いセンサが更に設置され、
前記制御装置は、前記床面の臭いセンサによる検出データに基づいて床面近傍の臭気レベルが設定臭気レベルよりも高いか否かを前記臭気レベル判定部によって判定し、前記高いとの判定をした場合に、前記消臭器作動開始信号を送信してから第３設定時間経過後における前記床面近傍の臭気レベルが前記設定臭気レベルよりも高い状態を維持しているか否かを前記高臭気レベル維持判定部によって判定し、高い状態を維持しているとの判定をした場合に、前記報知器に設けられた床面用報知部の作動開始信号を前記報知器に送信することを特徴とするトイレ室内の汚れ報知システム。
【請求項２】
前記臭気レベル判定部、前記臭気レベル再判定部及び前記高臭気レベル維持判定部は、夫々、便器内に設置された臭いセンサによる検出データに基づいて、前記判定を行うことを特徴とする請求項１記載のトイレ室内の汚れ報知システム。
【請求項３】
トイレ室内の消臭を行う消臭器と、トイレ室内に設置された自動水洗機構を有する便器と、報知手段を有する報知器と、それらの消臭器と便器と報知器とに制御信号を送信可能な制御装置とを用いてトイレ室内の汚れを報知するトイレ室内の汚れ報知方法であって、
前記制御装置に、前記トイレ室内における所定位置の臭気レベルが設定臭気レベルよりも高いか否かを臭気レベル判定部によって判定させ、前記設定臭気レベルよりも高いとの判定をした場合に、その判定に基づいて、消臭器作動開始信号を消臭器に送信させるとともに、その消臭器作動開始信号を送信してから第１設定時間経過後における前記所定位置の臭気レベルが前記設定臭気レベルよりも高いか否かを再度判定させ、前記設定臭気レベルよりも高いとの判定をした場合に、その判定に基づいて、便器水洗開始信号を便器に送信させ、更に、その便器水洗開始信号を送信してから第２設定時間経過後における前記所定位置の臭気レベルが前記設定臭気レベルよりも高い状態を維持しているか否かを高臭気レベル維持判定部によって判定させ、前記維持しているとの判定をした場合に、その判定に基づいて、報知器作動開始信号を報知器に送信させるとともに、前記トイレ室の床面に設置された臭いセンサによる検出データに基づいて床面近傍の臭気レベルが設定臭気レベルよりも高いか否かを前記臭気レベル判定部によって判定させ、前記高いとの判定をした場合に、前記消臭器作動開始信号を送信してから第３設定時間経過後における前記床面近傍の臭気レベルが前記設定臭気レベルよりも高い状態を維持しているか否かを前記高臭気レベル維持判定部によって判定し、高い状態を維持しているとの判定をした場合に、前記報知器に設けられた床面用報知部の作動開始信号を前記報知器に送信させることを特徴とするトイレ室内の汚れ報知方法。
【発明の詳細な説明】
【技術分野】
【０００１】
本発明は、トイレ室内の汚れ報知システム及び汚れ報知方法に関するものである。
【背景技術】
【０００２】
従来から、トイレ室内の汚れを報知するものとして、例えばトイレブース内の汚れ等に関する異常データを検出可能な異常検知センサと通信媒体を介してネットワークにデータ通信接続可能な送受信手段とを備えたトイレ装置と、前記ネットワークに接続され、前記トイレ装置から送信された異常データを表示手段によって管理者へ報知する集中管理装置とから構成されたトイレ管理装置が提案されている（特許文献１参照）。
【特許文献１】特開２００２−２１１４８号公報
【発明の開示】
【発明が解決しようとする課題】
【０００３】
しかしながら、上記特許文献１のように、汚れに関する異常データを異常検知センサによって検出するたびに管理者へ報知し、報知された管理者がその都度清掃したのでは、管理者によらなくても良い場合もある。例えば排便による臭いが残っている場合でも、消臭手段によって自動的に除去できる場合もある。従って、清掃効率が悪くなってしまうとともに、管理者の負担も大きくなる。
【０００４】
本発明は、トイレ室の臭いを自動的に除去でき、除去できない場合に報知できるようにしたトイレ室内の汚れ報知システム及び汚れ報知方法の提供を目的とする。
【課題を解決するための手段】
【０００５】
前記課題を解決するために、本発明の請求項１は、トイレ室内の消臭を行う消臭器と、トイレ室内に設置された自動水洗機構を有する便器と、報知手段を有する報知器と、それらの消臭器と便器と報知器とに制御信号を送信可能な制御装置とを備えたトイレ室内の汚れ報知システムであって、前記制御装置は、前記トイレ室内における所定位置の臭気レベルが設定臭気レベルよりも高いか否かを判定する臭気レベル判定部によって、前記設定臭気レベルよりも高いとの判定をした場合に、その判定に基づいて、消臭器作動開始信号を消臭器に送信するとともに、その消臭器作動開始信号を送信してから第１設定時間経過後における前記所定位置の臭気レベルが前記設定臭気レベルよりも高いか否かを再度判定する臭気レベル再判定部によって、前記設定臭気レベルよりも高いとの判定をした場合に、その判定に基づいて、便器水洗開始信号を便器に送信し、更に、その便器水洗開始信号を送信してから第２設定時間経過後における前記所定位置の臭気レベルが前記設定臭気レベルよりも高い状態を維持しているか否かを判定する高臭気レベル維持判定部によって、前記維持しているとの判定をした場合に、その判定に基づいて、報知器作動開始信号を報知器に送信し、前記トイレ室の床面に、臭いセンサが更に設置され、前記制御装置は、前記床面の臭いセンサによる検出データに基づいて床面近傍の臭気レベルが設定臭気レベルよりも高いか否かを前記臭気レベル判定部によって判定し、前記高いとの判定をした場合に、前記消臭器作動開始信号を送信してから第３設定時間経過後における前記床面近傍の臭気レベルが前記設定臭気レベルよりも高い状態を維持しているか否かを前記高臭気レベル維持判定部によって判定し、高い状態を維持しているとの判定をした場合に、前記報知器に設けられた床面用報知部の作動開始信号を前記報知器に送信することを特徴とするトイレ室内の汚れ報知システムを提供する。
【０００６】
請求項２のように、前記臭気レベル判定部、前記臭気レベル再判定部及び前記高臭気レベル維持判定部は、夫々、便器内に設置された臭いセンサによる検出データに基づいて、前記判定を行うことが好ましい。
【０００８】
又、本発明の請求項３は、前記課題を解決するために、トイレ室内の消臭を行う消臭器と、トイレ室内に設置された自動水洗機構を有する便器と、報知手段を有する報知器と、それらの消臭器と便器と報知器とに制御信号を送信可能な制御装置とを用いてトイレ室内の汚れを報知するトイレ室内の汚れ報知方法であって、
前記制御装置に、前記トイレ室内における所定位置の臭気レベルが設定臭気レベルよりも高いか否かを臭気レベル判定部によって判定させ、前記設定臭気レベルよりも高いとの判定をした場合に、その判定に基づいて、消臭器作動開始信号を消臭器に送信させるとともに、その消臭器作動開始信号を送信してから第１設定時間経過後における前記所定位置の臭気レベルが前記設定臭気レベルよりも高いか否かを再度判定させ、前記設定臭気レベルよりも高いとの判定をした場合に、その判定に基づいて、便器水洗開始信号を便器に送信させ、更に、その便器水洗開始信号を送信してから第２設定時間経過後における前記所定位置の臭気レベルが前記設定臭気レベルよりも高い状態を維持しているか否かを高臭気レベル維持判定部によって判定させ、前記維持しているとの判定をした場合に、その判定に基づいて、報知器作動開始信号を報知器に送信させるとともに、前記トイレ室の床面に設置された臭いセンサによる検出データに基づいて床面近傍の臭気レベルが設定臭気レベルよりも高いか否かを前記臭気レベル判定部によって判定させ、前記高いとの判定をした場合に、前記消臭器作動開始信号を送信してから第３設定時間経過後における前記床面近傍の臭気レベルが前記設定臭気レベルよりも高い状態を維持しているか否かを前記高臭気レベル維持判定部によって判定し、高い状態を維持しているとの判定をした場合に、前記報知器に設けられた床面用報知部の作動開始信号を前記報知器に送信させることを特徴とするトイレ室内の汚れ報知方法を提供する。
【発明の効果】
【０００９】
請求項１及び請求項３によれば、制御装置は、設定臭気レベルよりも高いとの判定をした場合に、消臭器作動開始信号を消臭器に送信するため、例えば臭いのレベルが低いような場合には、消臭器の作動によって除去できる。又、その消臭器作動開始信号を送信してから第１設定時間経過後における臭気レベルが設定臭気レベルよりも高いとの判定をした場合に、便器水洗開始信号を便器に送信する。例えば便器に大便が付着し、それが臭いの発生源となっている場合も多く、そのような場合には、消臭器の作動だけでは消臭し難く、消臭器を作動し続けることは省エネの観点から好ましくない。しかし、上記のように構成することにより、便器水洗開始信号に基づく便器の自動水洗によって、例えば便器に付着した大便を流し落とすことも可能になる。これにより、報知する回数を減らすことができ、トイレ室の管理等を行う人の手間を減らすことができる。
また、床面の臭いセンサにより検出された検出データに基づいて床面近傍の臭気レベルが設定臭気レベルよりも高いか否かを判定する。例えば便器の周部の床面に小便が付着し、それが臭いの発生源となっているような場合も、消臭器の作動だけでは消臭し難い。しかし、請求項1及び３のように構成することにより、床面に付着した小便が臭いの発生源となっているような場合に、報知器に設けられた床面用報知部の作動開始信号を送信し、例えば上記便器内の臭気レベルが設定臭気レベルよりも高い場合の報知と区別して報知するようにすれば、トイレ室の管理等を行う人に、床面に小便が付着して入る可能性の高いことを知らせることができる。
【００１０】
請求項２によれば、臭気レベル判定部、臭気レベル再判定部及び高臭気レベル維持判定部は、夫々、便器内に設置された臭いセンサにより検出された検出データに基づいて、便器内の臭気レベルが設定臭気レベルよりも高いか否かを判定するため、高いとの判定をした場合は、便器に大便が付着している可能性が高いものにできる。従って、便器に大便が付着している可能性が高い場合に便器水洗開始信号を送信して便器に水洗させることができ、便器に大便が付着していないにも関わらずに便器水洗開始信号を送信して便器に水洗させるようなことを極力抑えることができる。
【発明を実施するための最良の形態】
【００１２】
以下、本発明を実施するための最良の形態について、図面を参照しながら詳細に説明する。
【００１３】
図１は、本発明の第１実施形態のトイレ室の汚れ報知システムを施したトイレ室の概略図、図２は、同システムに用いられる消臭器を説明するためのブロック図、図３は、同システムに用いられる制御装置を説明するためのブロック図、図４は、同システムに用いられる報知器を説明するためのブロック図である。
【００１４】
本発明のトイレ室内の汚れ報知システムは、図１に示すように、トイレ室９内の消臭を行う消臭器１と、報知器２と、便器４と、それらの消臭器１、報知器２及び便器４に制御信号を有線又は無線（この実施形態では、無線）によって送信可能な制御装置３とを備えている。
【００１５】
消臭器１は、この実施形態では、図示しないフィルタを備えた、いわゆるフィルタ式のもので、消臭器１の通電による作動に伴い臭い分子をフィルタに吸着して分解するものが用いられている。尚、本システムに用いられる消臭器１の種類等は、特に限定されず、適宜変更できる。例えば触媒を用いるもの、あるいは、オゾンを放出するもの等、従来から消臭器として使用されているものを用いることができ、適宜変更できる。
【００１６】
又、消臭器１は、図２に示すように、消臭器作動開始部１１と、消臭器作動停止部１２と、受信部１３とを備えている。
【００１７】
受信部１３は、例えば後述する制御信号である消臭器作動開始信号、消臭器作動停止信号を制御装置３から受信する。
【００１８】
消臭器作動開始部１１は、制御装置３から消臭器作動開始信号を受信した場合に、その消臭器作動開始信号に基づいて消臭器１の作動を開始させる。
【００１９】
消臭器作動停止部１２は、制御装置３から消臭器作動停止信号を受信した場合に、その消臭器作動停止信号に基づいて消臭器１の作動を停止させる。
【００２０】
又、消臭器１は、図示しないが、記録装置であるメモリ、制御装置であるＣＰＵ、制御装置３と通信するため通信インターフェース等を備えている。
【００２１】
そして、上記ＣＰＵは、図２の消臭器作動開始部１１、消臭器作動停止部１２、受信部１３として機能する。
【００２２】
次に、制御装置３について説明する。この実施形態の制御装置３は、図３に示すように臭気レベル判定部３１と、臭気レベル再判定部３２と、高臭気レベル維持判定部３３と、送信部３４とを備えている。
【００２３】
臭気レベル判定部３１は、トイレ室内の臭気レベルが、設定臭気レベルよりも高いか否かを、便器内に設置された臭いセンサ５による検出データに基づいて判定する。
【００２４】
臭いセンサ５は、この実施形態では、半導体ガスセンサが用いられている。この半導体ガスセンサは、例えば臭気ガスの濃度に対応して電気抵抗が変化する構造を有し、その電気抵抗の変化を電圧に変換することによって、ガス濃度を電気的に検出するように構成されたものである。
【００２５】
尚、臭いセンサ５は、半導体ガスセンサのものに限らず、例えば水晶振動子式ガスセンサ、即ち、水晶振動子の表面に貼り付けた臭い感応膜に、臭い分子が吸着するとその膜の質量が増加し、それに比例して低下する水晶振動子の共振周波数の低下量を測定することによって臭いの濃度を測るものであっても良い。
【００２６】
そして、この臭いセンサ５は、この実施形態では、図１に示すように、便器４内に設置されている。
【００２７】
設定臭気レベルは、この実施形態では、通常の人が臭いを感じる程度の臭気レベルとされており、そのレベルに対応した上記臭いセンサ５による値が該当する。
【００２８】
そして、便器４内の臭気レベルが設定臭気レベルよりも高い場合（便器４内の臭気レベル＞設定臭気レベル、以下、臭気レベル再判定部３２及び高臭気レベル維持判定部３３において同じ）、臭気レベル判定部３１は、その設定臭気レベルよりも高いとの判定をし、その判定に基づいて、消臭器作動開始信号を生成する。
【００２９】
一方、便器４内の臭気レベルが設定臭気レベルよりも高くない場合（便器４内の臭気レベル≦設定臭気レベル、以下、臭気レベル再判定部３２及び高臭気レベル維持判定部３３において同じ）、臭気レベル判定部３１は、設定臭気レベルよりも高くないとの判定をする。
【００３０】
臭気レベル再判定部３２は、消臭器１の作動後における便器４内の臭気レベルが設定臭気レベルよりも高いか否かを再度判定し消臭器１による消臭効果を見るためのもので、具体的には、消臭器作動開始信号を送信してから第１設定時間経過後であって高臭気レベル維持判定部３３による判定の前に、便器４内の臭気レベルが上記設定臭気レベルよりも未だ高いか否かを、上記臭いセンサ５による検出データに基づいて判定する。
【００３１】
そして、便器４内の臭気レベルが設定臭気レベルよりも高くない場合、便器４内の臭気レベルが設定臭気レベルよりも高くないとの判定を行う。
【００３２】
一方、便器４内の臭気レベルが設定臭気レベルよりも高い場合、臭気レベル再判定部３２は、臭気レベルが設定臭気レベルよりも高いとの判定を行う。
【００３３】
又、上記高いとの判定を行った場合、制御装置３は、その判定に基づいて、便器水洗開始信号を生成する。
【００３４】
尚、上記第１設定時間は、この実施形態では、５〜１０分程度とされているが、特に限定されず、適宜変更できる。
【００３５】
高臭気レベル維持判定部３３は、上記便器水洗開始信号を送信してから第２設定時間経過後における便器４内の臭気レベルが未だ設定臭気レベルよりも高い状態を維持しているか否かを判定するもので、具体的には、便器４内の臭気レベルが設定臭気レベルよりも高いか否かを、上記臭いセンサ５による検出データに基づいて判定する。
【００３６】
そして、便器４内の臭気レベルが未だ設定臭気レベルよりも高い場合、高臭気レベル維持判定部３３は、便器４内の臭気レベルが未だ設定臭気レベルよりも高い状態を維持しているとの維持判定を行う。又、高臭気レベル維持判定部３３が維持判定を行った場合、制御装置３は、その維持判定に基づいて、報知器作動開始信号を生成する。
【００３７】
一方、トイレ室内の臭気レベルが設定臭気レベルよりも高くない場合、便器４内の臭気レベルが設定臭気レベルよりも高い状態を維持していないとの判定を行う。又、高臭気レベル維持判定部３３が上記維持していないとの判定を行った場合、制御装置３は、その判定に基づいて、消臭器作動停止信号を生成する。
【００３８】
尚、第２設定時間は、この実施形態では、１〜５分程度とされている。ただし、第２設定時間は、特に限定されず、適宜変更でき、例えば上記第１設定時間と同じにしても良い。
【００３９】
送信部３４は、例えば制御信号である消臭器作動開始信号や消臭器作動停止信号を消臭器１に送信する。又、送信部３４は、例えば制御信号である便器水洗開始信号を便器４に送信する。更には、送信部３４は、例えば制御信号である報知器作動開始信号を報知器２に送信する。
【００４０】
又、制御装置３は、図示しないが、記録装置であるメモリ、制御装置であるＣＰＵ、表示装置である表示部、消臭器１及び換気扇２と通信するため通信インターフェース等を備えている。
【００４１】
そして、上記ＣＰＵは、図３の臭気レベル判定部３１、臭気レベル再判定部３２、高臭気レベル維持判定部３３、送信部３４として機能する。
【００４２】
次に、便器４について説明する。この実施形態の便器４は、図示しないが、自動水洗機構を備え、一定量の水を便器４内に流すことができるようになっている。又、便器４は、図４に示すように、水洗開始部４１と、受信部４２とを備えている。
【００４３】
水洗開始部４１は、上記制御装置３から便器水洗開始信号を受信すると、その便器水洗開始信号に基づいて、一定量の水を便器４内に流させる。受信部４２は、例えば制御装置３から便器水洗開始信号を受信する。
【００４４】
又、便器４は、図示しないが、メモリ、ＣＰＵ、制御装置３と通信するための通信インターフェース等を備えている。そして、このＣＰＵは、図４の水洗開始部４１、受信部４２として機能する。
【００４５】
次に、報知器２について説明する。この実施形態の報知器２は、家屋内におけるトイレ室９外の壁面に設置されており、又、図示しないが、報知手段としての光を点滅させる点滅手段及びアラーム音を発生させるアラーム音発生手段を備え、トイレ室９が所定の臭気レベルよりも高くなっていること、この第１実施形態では、便器４内の臭気レベルが設定臭気レベルよりも高くなっていることを、トイレ室９を管理等する人に知らせることができるようになっている。
【００４６】
又、報知器２は、図５に示すように点滅開始部２１と、アラーム音発生開始部２２と、受信部２３とを備えている。
【００４７】
点滅開始部２１は、上記制御装置３から報知作動開始信号を受信すると、その受信した報知作動開始信号に基づいて、光を点滅させる。又、アラーム音発生開始部２２は、上記制御装置３から報知作動開始信号を受信すると、その受信した報知作動開始信号に基づいて、アラーム音を発生させる。
【００４８】
又、報知器２は、図示しないが、メモリ、ＣＰＵ、制御装置３と通信するための通信インターフェース等を備えている。そして、このＣＰＵは、図５の点滅開始部２１、アラーム音発生開始部２２、受信部２３として機能する。
【００４９】
次に、この第１実施形態のシステムの動作について、図６、図７に基づいて説明する。まず、制御装置３は、便器４内の臭気レベルが、設定臭気レベルよりも高いか否かを、臭いセンサ５によって検出された検出データに基づいて判定する（図６、ステップＳ１）。このステップＳ１が、図３の臭気レベル判定部３１に対応する。
【００５０】
このステップＳ１において、便器４内の臭気レベルが設定臭気レベルよりも高くないとの判定をした場合、制御装置３は、制御を戻す。
【００５１】
一方、ステップＳ１において、便器４内の臭気レベルが設定臭気レベルよりも高いとの判定をした場合、制御装置３は、その判定に基づいて、消臭器作動開始信号を生成して消臭器１に送信する。
【００５２】
例えば図７に示すように、時刻ｔ１で、制御装置３は、便器４内の臭気レベルが設定臭気レベルよりも高いとの判定をし、そして、この判定に基づいて消臭器作動開始信号を生成して消臭器１に送信する。
【００５３】
消臭器作動開始信号を受信した消臭器１は、受信したその作動開始信号に基づいて、作動を開始する（図６、ステップＳ２）。
【００５４】
そして、消臭器作動開始信号を送信してから第１設定時間経過後（例えば５分）、臭気レベルが設定臭気レベルよりも高いか否かを、検出センサ５によって検出された検出データに基づいて再度判定する（図６、ステップＳ３）。このステップＳ３が、図３の臭気レベル再判定部３２に対応する。
【００５５】
このステップＳ３において、臭気レベルが設定臭気レベルよりも高くないとの判定をした場合、制御装置３は、消臭器作動停止信号を生成して消臭器１に送信する（図６、ステップＳ４）。
【００５６】
一方、ステップＳ３において、臭気レベルが設定臭気レベルよりも高いとの判定をした場合、制御装置３は、便器水洗開始信号を生成して便器４に送信する。
【００５７】
例えば図７に示すように、時刻ｔ１から所定時間経過後の時刻ｔ２で、例えば排便によって便器４に大便が付着し、消臭器１の作動によってもなお臭気レベルが高い場合、制御装置３は、再度、臭気レベルが設定臭気レベルよりも高いとの判定をする。
【００５８】
便器水洗開始信号を受信した便器４は、水洗を開始する（図６、ステップＳ５）。
【００５９】
次に、制御装置３は、便器水洗開始信号を送信してから第２設定時間経過後（この実施形態では、２分）、臭気レベルが未だ設定臭気レベルよりも高い状態を維持しているか否かを、検出センサ５によって検出された検出データに基づいて判定する（図６、ステップＳ６）。このステップＳ６が、図３の高臭気レベル維持判定部３３に対応する。
【００６０】
このステップＳ６において、臭気レベルが設定臭気レベルよりも高い状態を維持していないとの判定をした場合、例えば便器４に付着した大便が水洗によって流し落とされ、その結果、設定臭気レベル以下になった場合、制御装置３は、その判定に基づいて、消臭器作動停止信号を生成して消臭器１に送信する。そして、上述のステップＳ４に移り、消臭器作動停止信号を受信した消臭器１は、作動を停止する。
【００６１】
一方、臭気レベルが設定臭気レベルよりも高い状態を維持しているとの維持判定をした場合、制御装置３は、その維持判定に基づいて、報知器作動開始信号を生成して報知器２に送信する。
【００６２】
例えば図７に示すように、時刻ｔ２から第２設定時間経過後の時刻ｔ３において、例えば便器４に付着した大便が水洗によっても流し落とされず、その結果、設定臭気レベルよりも高い状態を維持している場合、報知器作動開始信号を生成して報知器２に送信する。
【００６３】
報知器作動開始信号を受信した報知器２は、光を点滅させるとともに、アラーム音を発生させる（図６、ステップＳ７）。これにより、トイレ室を管理等する人は、便器４に大便が付着している可能性が高いことが知らされる。従って、トイレ室を管理等する人は、即座に便器４内を掃除して臭いの発生源を取り除くことができる。
【００６４】
なお、上記第１実施形態では、臭いセンサを便器内に設置しているが、この形態のものに限らず、例えば臭いセンサを、トイレ室の壁面又は床面に設置し、その臭いセンサによって検出したデータに基づいて、臭気レベル判定部３１、臭気レベル再判定部３２、高臭気レベル維持判定部３３が判定するようにしても良い。
【００６５】
次に、第２実施形態について説明する。第２実施形態では、図８に示すように、トイレ室９内の便器４の周部における床面９１近傍にも、臭いセンサ５１が設置されており、臭いセンサ５１によって、便器４の周部における床面９１近傍の臭気レベル（以下、床面の臭気レベル）を検出できるようになっている。
【００６６】
又、第２実施形態における制御装置３の臭気レベル判定部３１（図３参照）は、臭いセンサ５１によって検出された検出データに基づいて、床面の臭気レベルが設定臭気レベルよりも高いか否かについても判定する。
【００６７】
又、高臭気レベル維持判定部３３は、便器水洗開始信号を送信してから第２設定時間経過後における便器４内の臭気レベルが未だ設定臭気レベルよりも高い状態を維持しているか否かの判定に加え、臭気レベル判定部３１により床面の臭気レベルが設定臭気レベルよりも高いとの判定をしてから第３設定時間経過後、床面の臭気レベルが設定臭気レベルよりも高い状態を維持しているか否についても判定する。
【００６８】
具体的には、床面の臭気レベルが設定臭気レベルよりも高いか否かを、上記臭いセンサ５１に基づいて判定し、そして、床面９１の臭気レベルが未だ設定臭気レベルよりも高い場合、高臭気レベル維持判定部３３は、床面９１の臭気レベルが未だ設定臭気レベルよりも高い状態を維持しているとの維持判定を行う。
【００６９】
又、維持判定を行った場合、制御装置３は、その維持判定に基づいて、床面用報知部の作動開始信号を生成する。
【００７０】
又、第２実施形態の制御装置３は、上記高臭気レベル維持判定部３３が便器４内の臭気レベルが未だ設定臭気レベルよりも高い状態を維持しているとの維持判定をした場合、その維持判定に基づいて、便器用報知部の作動開始信号を生成する。
【００７１】
尚、第３設定時間は、この実施形態では、上記第１設定時間と同じとされている。ただし、第３設定時間についても、特に限定されず、適宜変更でき、例えば上記第１設定時間と異なる時間にしても良い。
【００７２】
第２実施形態における報知器２は、図９に示すように便器用報知部２ａと、床面用報知部２ｂと、受信部２３とを備えている。便器用報知部２ａと床面用報知部２ｂとは、夫々、点滅開始部２１ａ、２２ａと、アラーム音発生開始部２１ｂ、２２ｂとを備えている。
【００７３】
便器用報知部２ａの点滅開始部２１ａとアラーム音発生開始部２１ｂとは、制御装置３から便器用報知部の作動開始信号を受信した場合に、その便器用報知部の作動開始信号に基づいて、作動を開始する。又、この実施形態では、便器用報知部２ａの点滅開始部２１ａは、赤色で点滅するように構成されている。
【００７４】
床面用報知部２ｂの点滅開始部２２ａとアラーム音発生開始部２２ｂとは、制御装置３から床面用報知部の作動開始信号を受信した場合に、その床面用報知部の作動開始信号に基づいて、作動を開始する。又、この床面用報知部２ｂの点滅開始部２２ａは、緑色で点滅するように構成されている。その他は、先の第１実施形態と同じ構成を採っている。
【００７５】
次に、この第２実施形態のシステムの動作について、図１０、図１１に基づいて説明する。まず、制御装置３は、先の第１実施形態と同様に、便器内の臭気レベルが設定臭気レベルよりも高いか否かを臭いセンサ５によって検出された検出データに基づいて判定し（図１０、ステップＳ１１）、高くないとの判定をした場合は、制御を戻す。一方、高いとの判定をした場合、消臭器作動開始信号を生成して消臭器１に送信し、それを受信した消臭器１は、作動を開始する（図１０、ステップＳ１２）。
【００７６】
次に、制御装置３は、床面の臭気レベルが、設定臭気レベルよりも高いか否かを臭いセンサ５１によって検出された検出データに基づいて判定をする（図１０、ステップＳ１３）。
【００７７】
ステップＳ１３において、高くないとの判定をした場合、先の第１実施形態におけるステップＳ３〜Ｓ６と同じステップＳ１４〜Ｓ１７をとる。そして、ステップＳ１７において、維持判定をした場合、制御装置３は、その維持判定に基づいて、便器用報知部の作動開始信号を生成して報知器２に送信し、それを受信した報知器２は、便器用報知部２ａが作動し、便器用報知部２ａの点滅用開始部２１ａによって、赤色に点滅させるとともに、アラーム音発生開始部２１ｂによってアラーム音を発生させる（図１０、ステップＳ１８）。これにより、トイレ室を管理等する人は、便器４に大便が付着している可能性が高いことが知らされる。従って、トイレ室を管理等する人は、即座に便器４内を掃除して臭いの発生源を取り除くことができる。
【００７８】
一方、上記ステップＳ１３において、床面の臭気レベルが設定臭気レベルよりも高いとの判定をした場合、上記ステップＳ１４〜Ｓ１８と同じ動作をする（ステップＳ１９〜Ｓ２２）、その後、第３設定時間経過後（例えば５分）、床面の臭気レベルが設定臭気レベルよりも高い状態を維持しているか否かを判定する（図１１、ステップＳ２０）。
【００７９】
例えば床面に小便が付着しその小便が臭いの発生源になって、消臭器１の作動によってもなお設定臭気レベルよりも高い状態を維持している場合、維持判定をし、その維持判定に基づいて、床面用報知部の作動開始信号を生成して報知器２に送信する。
【００８０】
床面用報知部の作動開始信号を受信した報知器２は、床面用報知部２ｂの点滅用開始部２２ｂによって、緑色に点滅させるとともに、アラーム音発生開始部２２ｂによってアラーム音を発生させる（図１１、ステップＳ２４）。これにより、トイレ室を管理等する人は、床面９１に小便が付着している可能性が高いことが知らされる。従って、トイレ室を管理等する人は、即座に床面９１を掃除して臭いの発生源を取り除くことができる。
【００８１】
尚、上記実施形態では、制御装置３を、消臭器１や報知器２或いは便器４と別途に設けたものとしているが、例えば消臭器１、報知器２、又は便器４に組み込んで付設したものとしても良く、適宜変更できる。
【００８２】
また、上記実施形態では、消臭器の作動開始と作動停止を、同じ臭気レベルで行っているが、異なる臭気レベルで行ってもよい。
【００８３】
又、上記実施形態では、便器内の臭気レベルが消臭器の作動によってもなお設定臭気レベルよりも高い場合に、便器を水洗し、水洗しても便器内の臭気レベルが設定臭気レベルよりも高い状態を維持している場合にそれを報知するようにしているが、例えば床面の臭気レベルが設定臭気レベルよりも高い場合に、消臭器を作動させ、消臭器の作動によってもなお床面の臭気レベルが設定臭気レベルよりも高い状態を維持している場合にそれを報知する床面の汚れ報知システムとして実施することも考えられる。
【００８４】
即ち、トイレ室内の消臭を行う消臭器と、報知手段を有する報知器と、それらの消臭器と報知器とに制御信号を送信可能な制御装置とを備えたトイレ室内の汚れ報知システムであって、前記制御装置は、前記トイレ室内における床面に設置された臭いセンサによる検出データに基づいて床面近傍の臭気レベルが設定臭気レベルよりも高いか否かを判定する臭気レベル判定部によって、前記設定臭気レベルよりも高いとの判定をした場合に、その判定に基づいて、消臭器作動開始信号を消臭器に送信するとともに、その消臭器作動開始信号を送信してから第３設定時間経過後における前記床面近傍の臭気レベルが前記設定臭気レベルよりも高い状態を維持しているか否かを判定する高臭気レベル維持判定部によって、前記維持しているとの判定をした場合に、その判定に基づいて、報知器作動開始信号を報知器に送信するシステムである。
【００８５】
このシステムによれば、例えば床面に小便が付着し、それが臭いの発生源となっている場合には、消臭器の作動だけでは臭いが残るが、その場合に、報知することにより、トイレ室を管理等する人によって、即座に床面を掃除して臭いの発生源を取り除くことができる。
【００８６】
以下、詳しく説明すると、図１２に示すように、臭いセンサ５１は、トイレ室９内の便器４の周部における床面９１近傍に配設されている。
【００８７】
又、制御装置３は、図１３に示すように、臭気レベル判定部１３１と、高臭気レベル維持判定部１３３と、送信部１３４とを備えているが、先の第１実施形態における臭気レベル再判定部３２に相当するものは設けられていない。
【００８８】
又、臭気レベル判定部１３１及び高臭気レベル維持判定部１３３は、トイレ室９内の便器４の周部における床面９１近傍の臭気レベル（以下、床面の臭気レベル）が、設定臭気レベルよりも高いか否かを、その臭いセンサ５１による検出データに基づいて判定する。なお、消臭器１は、先の第１実施形態のものと同構成をとっている。
【００８９】
次に、この床面の汚れ報知システムの動作について、図１４、図１５に基づいて説明すると、まず、制御装置３は、床面の臭気レベルが、設定臭気レベルよりも高いか否かを、臭いセンサ５１によって検出された検出データに基づいて判定する（図１４、ステップＳ３１）。
【００９０】
このステップＳ３１において、床面の臭気レベルが、設定臭気レベルよりも高くないとの判定をした場合、制御装置３は、制御を戻す。一方、ステップＳ３１において、床面の臭気レベルが、設定臭気レベルよりも高いとの判定をした場合、制御装置３は、その判定に基づいて、消臭器作動開始信号を生成して消臭器１に送信する。
【００９１】
例えば図１５に示すように、時刻ｔ１１で、制御装置３は、床面の臭気レベルが設定臭気レベルよりも高いとの判定をし、この判定に基づいて消臭器作動開始信号を生成して消臭器１に送信する。
【００９２】
消臭器作動開始信号を受信した消臭器１は、受信したその消臭器作動開始信号に基づいて、作動を開始する（図１４、ステップＳ３２）。
【００９３】
そして、消臭器作動開始信号を送信してから第３設定時間経過後（例えば５分）、臭気レベルが設定臭気レベルよりも高い状態を維持しているか否かを、検出センサ５１によって検出された検出データに基づいて判定する（図１４、ステップＳ３３）。
【００９４】
このステップＳ３３において、臭気レベルが設定臭気レベルよりも高い状態を維持していないとの判定をした場合、制御装置３は、その判定に基づいて、消臭器作動停止信号を生成して消臭器１に送信する。この消臭器作動停止信号を受信した消臭器１は、作動を停止する（図１４、ステップＳ３４）。
【００９５】
一方、臭気レベルが設定臭気レベルよりも高い状態を維持しているとの維持判定した場合、制御装置３は、その維持判定に基づいて、報知器作動開始信号を生成して報知器２に送信する。
【００９６】
例えば図１５に示すように、時刻ｔ１１から第３設定時間経過後の時刻ｔ１２で、制御装置３は、例えば床面に小便が付着しその小便が臭いの発生源になって、消臭器１の作動によってもなお設定臭気レベルよりも高い状態を維持している場合、維持判定をする。
【００９７】
報知器作動開始信号を受信した報知器２は、光を点滅させるとともに、アラーム音を発生させる（図１４、ステップＳ３５）。これにより、トイレ室を管理等する人は、床面に小便が付着している可能性が高いことが知らされる。従って、トイレ室を管理等する人は、即座に床面を掃除して臭いの発生源を取り除くことができる。
【００９８】
尚、上記実施形態では、便器内の臭気レベルを判定する際の基準にする設定臭気レベルと、床面の臭気レベルを判定する際の基準にする設定臭気レベルとを同じにしているが、この形態のものに限らず、例えば便器内の臭気レベルを判定する際の基準を便器用の設定臭気レベルとし、床面の臭気レベルを判定する際の基準を、便器用の設定臭気レベルと異なる床用の設定臭気レベルとしても良く、適宜変更し得る。
【００９９】
又、上記実施形態では、消臭器作動開始信号を送信してから第１設定時間経過後における臭気レベルが設定臭気レベルよりも高いとの判定をした場合に、便器水洗開始信号を便器に送信して便器に１回だけ水洗させているが、この形態のものに限らず、適宜変更できる。
【０１００】
例えば便器水洗開始信号を受信した便器は、２回以上、所定量の水を流すようにして水洗しても良い。また、例えば臭気レベル再判定部による判定から便器水洗開始信号の送信を２回以上繰り返し行うようにしても良い。
【図面の簡単な説明】
【０１０１】
【図１】本発明の第１実施形態のトイレ室の汚れ報知システムを施したトイレ室の概略図である。
【図２】同システムに用いられる消臭器を説明するためのブロック図である。
【図３】同システムに用いられる制御装置を説明するためのブロック図である。
【図４】同システムに用いられる便器を説明するためのブロック図である。
【図５】同システムに用いられる報知器を説明するためのブロック図である。
【図６】第１実施形態のシステムの動作を説明するためのフローチャートである。
【図７】便器内の臭気レベルと、消臭器と、報知器と、便器との関係を示す説明図である。
【図８】第２実施形態のトイレ室の汚れ報知システムを施したトイレ室の概略図である。
【図９】第２実施形態のシステムに用いられる制御装置を説明するためのブロック図である。
【図１０】第２実施形態のシステムの動作を説明するためのフローチャートの一部である。
【図１１】第２実施形態のシステムの動作を説明するためのフローチャートの他の一部である。
【図１２】他の実施形態のトイレ室の汚れ報知システムを施したトイレ室の概略図である。
【図１３】他の実施形態のトイレ室の汚れ報知システム用いる制御装置を説明するためのブロック図である。
【図１４】他の実施形態のトイレ室の汚れ報知システムの動作を説明するためのフローチャートである。
【図１５】床面近傍の臭気レベルと、消臭器と、報知器との関係を示す説明図である。
【符号の説明】
【０１０２】
１    消臭器
２    報知器
３    制御装置
４    便器
９    トイレ室
【図１】
0005324085.tif 000002
【図２】
0005324085.tif 000003
【図３】
0005324085.tif 000004
【図４】
0005324085.tif 000005
【図５】
0005324085.tif 000006
【図６】
0005324085.tif 000007
【図７】
0005324085.tif 000008
【図８】
0005324085.tif 000009
【図９】
0005324085.tif 000010
【図１０】
0005324085.tif 000011
【図１１】
0005324085.tif 000012
【図１２】
0005324085.tif 000013
【図１３】
0005324085.tif 000014
【図１４】
0005324085.tif 000015
【図１５】
0005324085.tif 000016